(57)【特許請求の範囲】
【請求項１】
下端が被圧帯水層に位置するように地盤内に配置された井戸管の内部空間を真空ポンプで減圧しつつ、該井戸管に流入した前記被圧帯水層の地下水を前記井戸管の底部近傍に設置された水中ポンプで揚水することで、掘削空間への地下水湧出又は該掘削空間の底面における盤膨れを防止可能なバキュームディープウェルを用いた地下水位低下工法において、
一端が大気に他端が前記被圧帯水層にそれぞれ連通するようにかつ前記被圧帯水層の直上に位置する不透水層を貫通するように前記地盤であって前記掘削空間の外側に空気導入管を配置するとともに、前記真空ポンプの作動によって前記被圧帯水層に形成された負圧領域に前記空気導入管を介して空気を自然流入させることにより、前記被圧帯水層のうち、前記井戸管から見て前記空気導入管よりも以遠の領域における負圧を減少させることを特徴とするバキュームディープウェルを用いた地下水位低下工法。
【請求項２】
前記空気導入管から水平方向に離間した位置であって前記井戸管と反対の側となるように前記地盤に配置された注水管を介して前記被圧帯水層への注水を行う請求項１記載のバキュームディープウェルを用いた地下水位低下工法。
【請求項３】
地盤内の被圧帯水層に下端が位置するように該地盤に配置された井戸管と、該井戸管の内部空間を減圧する真空ポンプと、前記井戸管の底部近傍に設置された水中ポンプと、該水中ポンプに接続され前記井戸管に流入した前記被圧帯水層の地下水を揚水する揚水管とを備えてなり、前記井戸管に流入した前記被圧帯水層の地下水を揚水することで、掘削空間への地下水湧出又は該掘削空間の底面における盤膨れを防止可能なバキュームディープウェルを用いた地下水位低下システムにおいて、
一端が大気に他端が前記被圧帯水層にそれぞれ連通するようにかつ前記被圧帯水層の直上に位置する不透水層を貫通するように前記地盤であって前記掘削空間の外側に配置された空気導入管を備えるとともに、前記真空ポンプの作動によって前記被圧帯水層に形成された負圧領域に前記空気導入管を介して空気を自然流入させることにより、前記被圧帯水層のうち、前記井戸管から見て前記空気導入管よりも以遠の領域における負圧を減少させるように構成したことを特徴とするバキュームディープウェルを用いた地下水位低下システム。
【請求項４】
前記空気導入管から水平方向に離間した位置であって前記井戸管と反対の側において下端が被圧帯水層に位置するように前記地盤に配置された注水管を備えた請求項３記載のバキュームディープウェルを用いた地下水位低下システム。
【発明の詳細な説明】
【技術分野】
【０００１】
本発明は、主として掘削工事の際に地下水位を低下させることを目的として適用されるバキュームディープウェルを用いた地下水位低下工法及びシステムに関する。
【背景技術】
【０００２】
土木建築構造物の基礎や地下鉄等の地下構造物を構築するにあたっては、掘削底面や側面から地下水が湧出しないよう、あるいは掘削底面で盤膨れが生じないように事前の対策を講ずることが不可欠であり、その対策として、掘削底面あるいはその近傍から地下水を排水することで地下水位を下げる、いわゆる地下水位低下工法が従来から広く採用されている。
【０００３】
地下水位低下工法は重力排水工法と強制排水工法に概ね大別され、前者の工法としてはディープウェル工法（深井戸工法）が、後者の工法としてはウェルポイント工法がそれらの典型的な工法として挙げられる。
【０００４】
ここで、ディープウェル工法は、井戸内に流入した地下水を該井戸の底部近傍に設置された水中ポンプで揚水するものであるため、透水性の高い地盤であれば、数十ｍの水位低下が可能である。
【０００５】
それに対し、ウェルポイント工法は、真空ポンプで減圧をかけることにより生じた大気圧との圧力差で地下水を吸引するものであるため、原理的には約１０ｍ、実際には減圧の程度に限度があるため、その半分程度となるが、大気圧との圧力差で強制的に排水を行うものであることから、透水性が低い地盤にも適用することが可能である。
【０００６】
一方、上述した２つの工法を併用したバキュームディープウェルと呼ばれる工法があり、ディープウェル工法に真空ポンプによる減圧を併用することで、両者の長所を生かしつつ、さらなる水位低下が可能になる。
【０００７】
また、かかるバキュームディープウェル工法では、地下水の水位低下が進行し過ぎると、井戸の内部空間が地盤内の土粒子間空隙と連通して井戸内に空気が入り込む状態となり、減圧作用が低下してしまう懸念があるが、水位が低下しても井戸内の減圧状態が維持できるように構成された改良型のバキュームディープウェル工法も開発されており、例えば地下水流入部を二重管としたスーパーウェルポイント工法が知られている。
【先行技術文献】
【特許文献】
【０００８】
【特許文献１】特開２０００−２７１７０号公報
【発明の概要】
【発明が解決しようとする課題】
【０００９】
しかしながら、バキュームディープウェル工法、特に改良型のバキュームディープウェル工法によれば、さまざまな地盤に対して十分な水位低下を実現できるものの、被圧帯水層に適用した場合には、広い範囲にわたって地盤沈下を招くことが実際の現場で確認されている。
【００１０】
そして、かかる事態は、周辺環境に不測の被害を発生させるとともに、それを回避しようとすると、工事領域において地下水位を十分に低下させることができず、結果として地下水の湧出や盤膨れが生じるという問題を生じていた。
【課題を解決するための手段】
【００１１】
本発明は、上述した事情を考慮してなされたもので、掘削領域においては十分な地下水位の低下を実現しながら、掘削領域から離隔した周辺領域においては地盤沈下を抑制することが可能なバキュームディープウェルを用いた地下水位低下工法及びシステムを提供することを目的とする。
【００１２】
上記目的を達成するため、本発明に係るバキュームディープウェルを用いた地下水位低下工法は請求項１に記載したように、下端が被圧帯水層に位置するように地盤内に配置された井戸管の内部空間を真空ポンプで減圧しつつ、該井戸管に流入した前記被圧帯水層の地下水を前記井戸管の底部近傍に設置された水中ポンプで揚水することで、掘削空間への地下水湧出又は該掘削空間の底面における盤膨れを防止可能なバキュームディープウェルを用いた地下水位低下工法において、
一端が大気に他端が前記被圧帯水層にそれぞれ連通するようにかつ前記被圧帯水層の直上に位置する不透水層を貫通するように前記地盤であって前記掘削空間の外側に空気導入管を配置するとともに、前記真空ポンプの作動によって前記被圧帯水層に形成された負圧領域に前記空気導入管を介して空気を自然流入させることにより、前記被圧帯水層のうち、前記井戸管から見て前記空気導入管よりも以遠の領域における負圧を減少させるものである。
【００１３】
また、本発明に係るバキュームディープウェルを用いた地下水位低下工法は、前記空気導入管から水平方向に離間した位置であって前記井戸管と反対の側となるように前記地盤に配置された注水管を介して前記被圧帯水層への注水を行うものである。
【００１４】
また、本発明に係るバキュームディープウェルを用いた地下水位低下システムは請求項３に記載したように、地盤内の被圧帯水層に下端が位置するように該地盤に配置された井戸管と、該井戸管の内部空間を減圧する真空ポンプと、前記井戸管の底部近傍に設置された水中ポンプと、該水中ポンプに接続され前記井戸管に流入した前記被圧帯水層の地下水を揚水する揚水管とを備えてなり、前記井戸管に流入した前記被圧帯水層の地下水を揚水することで、掘削空間への地下水湧出又は該掘削空間の底面における盤膨れを防止可能なバキュームディープウェルを用いた地下水位低下システムにおいて、
一端が大気に他端が前記被圧帯水層にそれぞれ連通するようにかつ前記被圧帯水層の直上に位置する不透水層を貫通するように前記地盤であって前記掘削空間の外側に配置された空気導入管を備えるとともに、前記真空ポンプの作動によって前記被圧帯水層に形成された負圧領域に前記空気導入管を介して空気を自然流入させることにより、前記被圧帯水層のうち、前記井戸管から見て前記空気導入管よりも以遠の領域における負圧を減少させるように構成したものである。
【００１５】
また、本発明に係るバキュームディープウェルを用いた地下水位低下システムは、前記空気導入管から水平方向に離間した位置であって前記井戸管と反対の側において下端が被圧帯水層に位置するように前記地盤に配置された注水管を備えたものである。
【００１６】
バキュームディープウェル工法は、井戸管内の空気圧を真空ポンプで減圧することで該井戸管内を大気圧よりも低い圧力（負圧）に維持しながら、井戸管の底部近傍に設置した水中ポンプで地下水を揚水するものであって、吸引による強制排水作用とディープウェルによる重力排水作用とが相乗することにより、掘削工事に必要な地下水位の低下を様々な地盤に対して十分に実現させることが可能であるが、被圧帯水層の場合には、井戸周辺の広い範囲にわたって地盤沈下が生じることは上述の通りである。
【００１７】
本出願人は、バキュームディープウェル工法を被圧帯水層に適用した場合、井戸管内の減圧操作が広い範囲にわたって不透水層の圧密を引き起こして地盤沈下を招く可能性が高いことを見出すとともに、不透水層での圧密を抑制するにはどうすればよいか、又はいったん発生した圧密を停止するにはどうすればよいかに着眼して研究開発を行った結果、上述した発明をなすに至ったものである。
【００１８】
すなわち、本発明に係るバキュームディープウェルを用いた地下水位低下工法及びシステムにおいては、被圧帯水層の直上に位置する不透水層を貫通するように地盤に配置された空気導入管を介して、真空ポンプの作動によって被圧帯水層に形成された負圧領域に空気を自然流入させる。
【００１９】
ここで、井戸管の底部と被圧帯水層との間では地下水が連続的に満たされているため、空気導入管がない場合、すなわち従来技術においては、井戸管内を減圧すると、その減圧状態が地下水を介して被圧帯水層に伝達するとともに、該被圧帯水層の直上に位置する不透水層（粘土層）が難透気層でもあることから、被圧帯水層では、空気の流入がほとんど起こらずに広い範囲にわたって減圧状態となる。
【００２０】
そのため、不透水層内の間隙水が被圧帯水層に移動して間隙水圧が減少し、それが原因で地上では地盤沈下が引き起こされる。
【００２１】
一方、本発明のように空気導入管を介して被圧帯水層に空気を自然流入させる場合においては、空気導入管の外側（井戸管の反対側）の負圧が昇圧されることで小さくなり、圧密が発生する範囲を大いに狭めることで広い範囲にわたる地盤沈下が抑制される。
【００２２】
加えて、減圧による圧密が生じている場合であっても、土粒子構造の塑性変形に至っておらず、可逆的な状態にとどまっている場合には、減圧状態の解消によって間隙水圧が上昇し、地盤面での沈下が縮小することも期待できる。
【００２３】
本発明の前提となるバキュームディープウェル工法は、井戸管への空気流入を阻止可能な構造、例えば地下水流入部を二重管とした構造を用いることが想定されるが、これに限らず、減圧による強制排水と重力排水とを併用した工法であれば、どのようなものでも採用可能である。
【００２４】
空気導入管は、被圧帯水層に空気を自然流入させることができる限り、その構成は任意であって、必ずしも鉛直に立設される必要はない。また、確実な空気導入を実現するために適当な間隔で複数設けるようにしてもかまわない。
【００２５】
また、空気導入管をどこに設けるかも任意であって、例えば井戸管近傍に設けてもよいし、井戸管から離隔させてもよいが、空気導入管を介して被圧帯水層に形成された負圧領域に空気を導入するためには、地下水位が不透水層の下面（被圧帯水層の上面）を下回る必要がある。そのため、確実な空気導入のためには、揚水時に地下水位が低くなる井戸管近傍位置に空気導入管を設けるのが望ましい。
【００２６】
ここで、空気導入管から水平方向に離間した位置であって井戸管と反対の側となるように地盤に配置された注水管を介して被圧帯水層への注水を行うようにすれば、井戸管から見て注水管以遠の領域においては、被圧帯水層の全水頭を概ね元の高さに戻すことができるため、例えば用地境界の外側における地盤沈下をさらに確実に防止することが可能となる。
【図面の簡単な説明】
【００２７】
【図１】本実施形態に係る地下水位低下システム１の概略図であり、(a)は鉛直断面図（対称ゆえ左半分は省略）、(b)は平面図（同左）。
【図２】空気導入管１２を設けない場合において揚水時に被圧帯水層３が減圧状態となることを示した図であり、(a)は被圧帯水層３における全水頭を示した鉛直断面図、(b)は被圧帯水層３内に負圧領域１３が形成される様子を示した圧力モデル図、(c)は不透水層４内の間隙水が被圧帯水層３に移動する様子を示した模式図。
【図３】空気導入管１２を設けた場合において被圧帯水層３の減圧状態が解消されることを示した図であり、被圧帯水層３における全水頭を示した鉛直断面図。
【図４】地下水位低下システム１の作用を示した鉛直断面図。
【図５】変形例に係るバキュームディープウェルを用いた地下水位低下システムを示した概略図であり、(a)は鉛直断面図（対称ゆえ左半分は省略）、(b)は平面図（同左）。
【発明を実施するための形態】
【００２８】
以下、本発明に係るバキュームディープウェルを用いた地下水位低下工法及びシステムの実施の形態について、添付図面を参照して説明する。
【００２９】
図１は、本実施形態に係るバキュームディープウェルを用いた地下水位低下システムを示した図である。同図に示したように、本実施形態に係る地下水位低下システム１は、地盤２の表面から掘削を行って掘削空間１１を形成する際、該掘削空間への地下水湧出や盤膨れを防止するための地下水位低下工法に適用されるものであって、地盤２内に拡がる被圧帯水層３に下端が位置するように地盤２に配置された井戸管５と、該井戸管の内部空間６を減圧する真空ポンプ７と、井戸管５の底部近傍に設置された水中ポンプ８と、該水中ポンプに接続された揚水管９とを備え、井戸管５の内部空間６を真空ポンプ７で減圧しつつ該内部空間に流入した被圧帯水層３の地下水を水中ポンプ８及び揚水管９で揚水できるようになっている。
【００３０】
本実施形態に係る地下水位低下システム１はさらに、上端が大気に下端が被圧帯水層３にそれぞれ連通するように、かつ被圧帯水層３の直上に位置する不透水層４を貫通するように空気導入管１２を地盤２に配置してあるとともに、該空気導入管の下端位置を被圧帯水層３の上面（不透水層４の下面）に位置あわせしてなり、かかる構成により、空気導入管１２内の水位が被圧帯水層３の上面を下回ったとき、該空気導入管を介して被圧帯水層３に空気が自然流入するように構成してある。
【００３１】
空気導入管１２は、アースオーガ等の重機を用いて地盤２に掘削孔を形成した後、該掘削孔に中空管を建て込むようにすればよい。
【００３２】
図２は、空気導入管１２を設けない場合において不透水層４に圧密が生じる様子を示した説明図である。同図(a)でわかるように、水中ポンプ８及び真空ポンプ７を作動させて被圧帯水層３の地下水を揚水すると、該被圧帯水層の全水頭は、初期位置（地盤２の表面位置よりも高い位置で水平に延びるライン）から井戸管５の下方から斜め上方に延びる低下状態へと移行する。この場合、井戸管５の地点における水頭と井戸内水位の差分は真空ポンプにより生じる負圧である。この際に、井戸管５の底部と被圧帯水層３との間では地下水が連続的に満たされているため、井戸管５の内部空間６における減圧状態は、地下水を介して被圧帯水層３に伝達するとともに、該被圧帯水層の直上に位置する不透水層４が難透気層でもあることから、被圧帯水層３では、空気の流入がほとんど起こらず、負圧領域１３が形成され、減圧状態となる。減圧された負圧領域１３には、地下水に混入している空気あるいは井戸管周辺からのわずかな空気が流入し、不飽和領域が生じる場合もある。
【００３３】
同図(b)は、井戸管５の減圧状態が被圧帯水層３に伝達して該被圧帯水層内に負圧領域１３が形成される圧力機構を示したモデル図である。同図に示した圧力モデル２０は、上方空間を減圧可能なタンク２１と、気密に構成されたタンク２２と、それらを互いに連通する連通管２３とで構成してあり、同圧力モデルにおいて、タンク２１の上方空間を減圧すると、タンク２２内の上方空間が大気に連通されていないため、タンク２２内の上方空間は、大気圧よりも小さな負圧状態へと減圧される。ここで、左側のタンク２１は井戸管５に、該タンク内の上方空間は井戸管５の内部空間６に、右側のタンク２２は空気導入管１２を設けない場合の被圧帯水層３に、該タンク内は被圧帯水層３に形成された負圧領域１３にそれぞれ相当する。
【００３４】
このように、井戸管５の内部空間６を減圧することで、被圧帯水層３も減圧されるが、かかる状態では、同図(c)に示すように、不透水層４内の間隙水が被圧帯水層３に移動して間隙水圧が減少し、それが原因で地上では地盤沈下が引き起こされる。
【００３５】
一方、本実施形態に係る地下水位低下システム１においては、図３に示すように、真空ポンプ７を作動させないときの全水頭ラインＡから、真空ポンプ７を作動させた場合の全水頭ラインＢの方向に水頭が移動し、空気導入管１２の底部に達した段階で地表の空気が空気導入管１２を介して負圧領域１３に自然流入し、該負圧領域内の圧力を上昇させるとともに、空気導入管１２の外側の被圧帯水層３の負圧を減じさせる。
【００３６】
以上説明したように、本実施形態に係るバキュームディープウェルを用いた地下水位低下システム１及び工法によれば、被圧帯水層３に形成された負圧領域１３に空気導入管１２を介して空気が自然流入するように構成したので、空気導入管１２より外側（井戸管と反対側）の被圧帯水層３内の負圧が軽減される。
【００３７】
つまり、被圧帯水層３における全水頭は図４に示すように上昇することとなり、それに伴って不透水層３の広い範囲にわたる圧密を回避し、地盤沈下を抑制することができる。
【００３８】
また、従来においては、井戸管５の内部空間６に形成された減圧状態が被圧帯水層３の遠方まで伝達し、それが原因で広い範囲にわたり地盤沈下が生じていたが、本実施形態に係る地下水位低下システム１及び工法によれば、被圧帯水層３での負圧状態が空気導入管設置位置より外側（井戸管と反対側）で軽減されるため、上述した地盤沈下を抑制することができる。
【００３９】
本実施形態では、揚水開始の時点から空気導入管１２が存在するものとして説明したが、揚水を継続している段階であって負圧領域１３が既に被圧帯水層３に形成されている段階であっても、本発明を適用することが可能である。
【００４０】
かかる構成においては、空気導入管１２を設置した時点で該空気導入管を介した被圧帯水層３への空気流入が行われるが、被圧帯水層３の負圧状態は上述した実施形態とほぼ同様に限定される。
【００４１】
また、本実施形態では特に言及しなかったが、図５に示したように、空気導入管１２から水平方向に離間した位置であって井戸管５と反対の側となるようにかつ下端が被圧帯水層３に位置するように地盤２に注水管５１を配置し、揚水を行っている間、該注水管を介して被圧帯水層３に注水を行う構成とすることが可能であり、本変形例では、注水管５１を用地境界５２に沿ってその内側に複数配置してある。
【００４２】
かかる構成によれば、井戸管５から見て注水管５１以遠の領域、すなわち用地境界５２の外側において、被圧帯水層３の全水頭を概ね、初期の高さに戻すことができるため、用地境界５２の外側における地盤沈下をさらに確実に防止することが可能となる。
【００４３】
また、本実施形態では特に言及しなかったが、空気導入管１２に水位計を設置するとともに、空気導入管１２内の空気流量を調整する流量調整ダンパーを該空気導入管に設置する構成とすることができる。
【００４４】
かかる構成においては、揚水開始当初、空気導入管１２内の地下水位が所定水位より高いときは流量調整ダンパーを閉じ、揚水が進行して空気導入管１２内の地下水位が所定水位以下になったときから流量調整ダンパーを開いて、該空気導入管内を大気に連通させる。
【００４５】
このようにすれば、揚水開始当初において未だ全水頭が高いとき、被圧帯水層３内の地下水が地上に噴出するのを防止することができる。
【００４６】
また、空気導入管１２からの空気流入量が多すぎて真空ポンプの効果が十分に発揮されない場合には、流量調整ダンパーを絞ることで、適量の空気を流入させることが可能である。
【００４７】
また、上述した水位計に加えて、不透水層４の間隙水圧を計測する間隙水圧計を空気導入管１２に取り付ける構成とすることが可能であり、かかる構成によれば、不透水層４の間隙水圧の推移を監視することが可能となる。
【符号の説明】
【００４８】
１        地下水位低下システム
２        地盤
３        被圧帯水層
４        不透水層（粘土層）
５        井戸管
６        内部空間
７        真空ポンプ
８        水中ポンプ
１２ 空気導入管
１３        負圧領域
５１        注水管
【図１】
0006040552.tif 000002
【図２】
0006040552.tif 000003
【図３】
0006040552.tif 000004
【図４】
0006040552.tif 000005
【図５】
0006040552.tif 000006